(57)【要約】【課題】放電灯と半導体発光素子とを光源に用いる場合に、点灯装置の部分的な回路を共用化し、装置全体として小型化、軽量化、低コスト化を実現する。【解決手段】点灯装置は、光源として放電灯６とＬＥＤ７とが用いられ、直流電源部１、ＤＣ／ＤＣコンバータ２、ＤＣ／ＡＣインバータ３、イグナイタ部４、制御部５、スイッチ部８、電圧検出部９、電流検出部１０を備えて構成される。ＤＣ／ＤＣコンバータ２の出力端はＤＣ／ＡＣインバータ３とスイッチ部８とに並列接続され、ＤＣ／ＤＣコンバータ２の出力電力がＤＣ／ＡＣインバータに供給可能であるとともに、スイッチ部８を介してＬＥＤ７に供給可能となっている。スイッチ部８は、ＤＣ／ＤＣコンバータ２の出力端からＬＥＤ７への電力供給経路の接続を切り替える。【選択図】図１
2009283250.tif 000002
【特許請求の範囲】
【請求項１】
光源として用いられる放電灯及び半導体発光素子と接続され、直流電源部から得られる電力によって、前記放電灯または前記半導体発光素子を点灯させる点灯装置であって、
前記直流電源部からの出力電力を必要な電圧まで昇圧または降圧させるＤＣ／ＤＣコンバータと、
前記ＤＣ／ＤＣコンバータから出力される直流電力を交流電力に変換して前記放電灯に供給するＤＣ／ＡＣインバータと、
前記放電灯の始動時に高電圧を発生させるイグナイタ部と、
前記放電灯への電力供給経路と前記半導体発光素子への電力供給経路とが前記ＤＣ／ＤＣコンバータの出力に対して並列的に接続されており、これらの光源への電力供給経路を切り替えるスイッチ部と、
前記ＤＣ／ＤＣコンバータ、前記ＤＣ／ＡＣインバータ、前記スイッチ部の状態を制御する制御部と、
を備える点灯装置。
【請求項２】
請求項１に記載の点灯装置であって、
前記ＤＣ／ＤＣコンバータの後段に前記ＤＣ／ＡＣインバータと前記半導体発光素子への電力供給経路とが並列に接続されており、
前記スイッチ部は、前記ＤＣ／ＤＣコンバータから前記半導体発光素子への電力供給経路の接続をオンオフする切り替えスイッチを有して構成され、
前記制御部は、前記放電灯を点灯させる際に前記ＤＣ／ＡＣインバータを動作させるとともに前記切り替えスイッチの接続をオフし、前記半導体発光素子を点灯させる際に前記ＤＣ／ＡＣインバータの動作を停止させるとともに前記切り替えスイッチの接続をオンする点灯装置。
【請求項３】
請求項１に記載の点灯装置であって、
前記ＤＣ／ＡＣインバータは、ブリッジ接続したスイッチを有して構成され、前記ＤＣ／ＡＣインバータの後段に前記放電灯への電力供給経路と２系統の半導体発光素子への電力供給経路とが並列に接続されており、
前記スイッチ部は、前記ＤＣ／ＡＣインバータのスイッチと、前記２系統の半導体発光素子への電力供給経路の接続をオンオフする切り替えスイッチとを有して構成され、
前記制御部は、前記放電灯を点灯させる際に前記ＤＣ／ＡＣインバータのスイッチをオンオフ制御して動作させるとともに前記切り替えスイッチの接続をオフし、前記半導体発光素子を点灯させる際に前記ＤＣ／ＡＣインバータのスイッチを介して前記半導体発光素子への電力供給経路の接続を常時オンするとともに前記切り替えスイッチの接続をオンする点灯装置。
【請求項４】
請求項２または３に記載の点灯装置であって、
前記制御部は、外部からの制御入力信号に基づいて、前記ＤＣ／ＡＣインバータ及び前記スイッチ部の状態の切り替え制御を行う点灯装置。
【請求項５】
請求項２または３に記載の点灯装置であって、
前記制御部は、負荷側の異常監視を行い、負荷側の状態に応じて、前記ＤＣ／ＡＣインバータ及び前記スイッチ部の状態の切り替え制御を行う点灯装置。
【請求項６】
請求項１〜５のいずれかに記載の点灯装置と、放電灯を含む第１の光源と、半導体発光素子を含む第２の光源とを備える照明装置。
【請求項７】
請求項６に記載の照明装置と、前記照明装置に電力を供給する直流電源部とを備える車両。
【発明の詳細な説明】
【技術分野】
【０００１】
本発明は、車両等に搭載される点灯装置、詳しくは、光源として放電灯と半導体発光素子とを有する点灯装置に関する。
【背景技術】
【０００２】
自動車等の車両の照明において、ハロゲンランプや放電灯などに加えて、ＬＥＤ等の半導体発光素子が光源として用いられ、車内灯（ルームランプ）や前照灯（ヘッドライト）や尾灯（リアコンビネーションランプ）、あるいは欧州などで採用が進んでいるデイタイム・ランニング・ライト（ＤＲＬ：昼間に対向車などからの視認性を高めるための前照灯）などに利用されつつある。
【０００３】
半導体発光素子を用いた車両用点灯装置の例として、前照灯において、ＬＥＤをＤＲＬなどに採用し、主照明として放電灯を合わせて採用している装置がある。このような点灯装置では、別個に放電灯点灯装置とＬＥＤ点灯装置の２つを用意しなければならず、結果として、前照灯に２つの独立した点灯装置を配置する必要がある。
【０００４】
また、特許文献１には、放電灯を光源とする第１の灯具ユニットと半導体発光素子を光源とする第２の灯具ユニットとを備え、第１及び第２の灯具ユニットの点灯をほぼ同時に開始させるとともに、放電灯が定常点灯状態に移行するまでの間に、半導体発光素子が点灯することで過渡期での光量不足を補うようにした車両用前照灯装置が開示されている。このように放電灯と半導体発光素子とを同時に点灯させる点灯装置では、放電灯を点灯させる第１の点灯回路と半導体発光素子を点灯させる第２の点灯回路とが独立に設けられる構成となっていた。
【特許文献１】特開２００６−２１６２５１号公報、図１、図１２
【発明の開示】
【発明が解決しようとする課題】
【０００５】
上述したように、従来の点灯装置では、放電灯と半導体発光素子とを光源に用いる場合に、それぞれの光源用に独立した点灯回路を別個に設けていた。このため、複数の点灯回路のために、配置スペース、重量、コストが増加するという課題があった。
【０００６】
本発明は、上記事情に鑑みてなされたもので、放電灯と半導体発光素子とを光源に用いる場合に、点灯装置の部分的な回路を共用化でき、装置全体として小型化、軽量化、低コスト化を実現可能な点灯装置を提供することを目的とする。
【課題を解決するための手段】
【０００７】
本発明は、光源として用いられる放電灯及び半導体発光素子と接続され、直流電源部から得られる電力によって、前記放電灯または前記半導体発光素子を点灯させる点灯装置であって、前記直流電源部からの出力電力を必要な電圧まで昇圧または降圧させるＤＣ／ＤＣコンバータと、前記ＤＣ／ＤＣコンバータから出力される直流電力を交流電力に変換して前記放電灯に供給するＤＣ／ＡＣインバータと、前記放電灯の始動時に高電圧を発生させるイグナイタ部と、前記放電灯への電力供給経路と前記半導体発光素子への電力供給経路とが前記ＤＣ／ＤＣコンバータの出力に対して並列的に接続されており、これらの光源への電力供給経路を切り替えるスイッチ部と、前記ＤＣ／ＤＣコンバータ、前記ＤＣ／ＡＣインバータ、前記スイッチ部の状態を制御する制御部と、を備える点灯装置を提供する。
【０００８】
また、本発明は、上記の点灯装置であって、前記ＤＣ／ＤＣコンバータの後段に前記ＤＣ／ＡＣインバータと前記半導体発光素子への電力供給経路とが並列に接続されており、前記スイッチ部は、前記ＤＣ／ＤＣコンバータから前記半導体発光素子への電力供給経路の接続をオンオフする切り替えスイッチを有して構成され、前記制御部は、前記放電灯を点灯させる際に前記ＤＣ／ＡＣインバータを動作させるとともに前記切り替えスイッチの接続をオフし、前記半導体発光素子を点灯させる際に前記ＤＣ／ＡＣインバータの動作を停止させるとともに前記切り替えスイッチの接続をオンするものを含む。
【０００９】
また、本発明は、上記の点灯装置であって、前記ＤＣ／ＡＣインバータは、ブリッジ接続したスイッチを有して構成され、前記ＤＣ／ＡＣインバータの後段に前記放電灯への電力供給経路と２系統の半導体発光素子への電力供給経路とが並列に接続されており、前記スイッチ部は、前記ＤＣ／ＡＣインバータのスイッチと、前記２系統の半導体発光素子への電力供給経路の接続をオンオフする切り替えスイッチとを有して構成され、前記制御部は、前記放電灯を点灯させる際に前記ＤＣ／ＡＣインバータのスイッチをオンオフ制御して動作させるとともに前記切り替えスイッチの接続をオフし、前記半導体発光素子を点灯させる際に前記ＤＣ／ＡＣインバータのスイッチを介して前記半導体発光素子への電力供給経路の接続を常時オンするとともに前記切り替えスイッチの接続をオンするものを含む。
【００１０】
また、本発明は、上記の点灯装置であって、前記制御部は、外部からの制御入力信号に基づいて、前記ＤＣ／ＡＣインバータ及び前記スイッチ部の状態の切り替え制御を行うものを含む。
【００１１】
また、本発明は、上記の点灯装置であって、前記制御部は、負荷側の異常監視を行い、負荷側の状態に応じて、前記ＤＣ／ＡＣインバータ及び前記スイッチ部の状態の切り替え制御を行うものを含む。
【００１２】
また、本発明は、上記いずれかに記載の点灯装置と、放電灯を含む第１の光源と、半導体発光素子を含む第２の光源とを備える照明装置を提供する。
【００１３】
また、本発明は、上記の照明装置と、前記照明装置に電力を供給する直流電源部とを備える車両を提供する。
【００１４】
上記構成により、放電灯または半導体発光素子を点灯させる際に、ＤＣ／ＤＣコンバータを含む点灯装置の一部を共用化することが可能となり、装置全体として小型化、軽量化、低コスト化を実現可能である。
【発明の効果】
【００１５】
本発明によれば、放電灯と半導体発光素子とを光源に用いる場合に、点灯装置の部分的な回路を共用化でき、装置全体として小型化、軽量化、低コスト化を実現可能な点灯装置を提供できる。
【発明を実施するための最良の形態】
【００１６】
以下の実施形態では、点灯装置の一例として、車両に搭載される前照灯に用いる場合の構成例を示す。光源としては、放電灯としてのＨＩＤ（High Intensity Discharge）ランプと、半導体発光素子としてのＬＥＤとを備える構成を例示する。
【００１７】
図１は本発明の実施形態に係る点灯装置の概略構成を示す図である。本実施形態の点灯装置は、バッテリーなどの直流電源部１、ＤＣ／ＤＣコンバータ２、ＤＣ／ＡＣインバータ３、イグナイタ（ＩＧＮ）部４、制御部５、スイッチ部８、電圧検出部９、電流検出部１０を備えて構成される。光源としては、ＨＩＤランプによる放電灯６と、半導体発光素子であるＬＥＤ７とを備えている。
【００１８】
ＤＣ／ＤＣコンバータ２は、直流電源部１からの直流電源電圧を必要な電圧まで昇圧または降圧させる。ここで、電圧検出部９は、ＤＣ／ＤＣコンバータ２の出力電圧を検出する。また、電流検出部１０は、ＤＣ／ＤＣコンバータ２の出力電流を検出する。ＤＣ／ＤＣコンバータ２の出力端はＤＣ／ＡＣインバータ３とスイッチ部８とに並列接続され、ＤＣ／ＤＣコンバータ２の出力電力がＤＣ／ＡＣインバータに供給可能であるとともに、スイッチ部８を介してＬＥＤ７に供給可能となっている。すなわち、放電灯６への電力供給経路とＬＥＤ７への電力供給経路とがＤＣ／ＤＣコンバータ２の出力に対して並列的に接続されている。スイッチ部８は、ＬＥＤ点灯切り替え用のスイッチであり、ＤＣ／ＤＣコンバータ２の出力端からＬＥＤ７への電力供給経路の接続を切り替える。これにより、スイッチ部８のスイッチがオンした場合に、ＤＣ／ＤＣコンバータ２から出力される所定電圧の直流電力がＬＥＤ７に印加され、ＬＥＤ７が点灯する。
【００１９】
ＤＣ／ＡＣインバータ３は、ＤＣ／ＤＣコンバータ２より出力された直流電力を交流電力に変換する。イグナイタ部４は、放電灯６の始動時に高電圧を発生させる。これにより、ＤＣ／ＡＣインバータ３から出力される交流電力がイグナイタ部４を介して放電灯６に印加され、放電灯６が点灯する。制御部５は、外部からの制御入力信号ＭＯＤＥを入力し、装置全体の点灯動作の切り替え制御を行う。この際、制御部５は、電圧検出部９の検出電圧及び電流検出部１０の検出電流に基づいて負荷側の異常監視を行いながら、制御入力信号ＭＯＤＥに基づいてＤＣ／ＤＣコンバータ２、ＤＣ／ＡＣインバータ３及びスイッチ部８を制御し、放電灯６またはＬＥＤ７を点灯させる。
【００２０】
本実施形態の構成では、従来のような独立した２つの点灯回路と比べて、２つの光源に対してＤＣ／ＤＣコンバータ２及び制御部５を共用した回路構成とすることが可能である。このため、例えば暗いところで放電灯６を点灯させ、明るいところでＤＲＬとしてＬＥＤ７を点灯させる場合などに、ＤＣ／ＤＣコンバータ２及び制御部５を兼用して放電灯６またはＬＥＤ７を点灯させることができる。したがって、点灯装置の小型化、軽量化を実現できる。
【００２１】
以下に、本実施形態のより具体的な構成例をいくつか示す。
【００２２】
（実施形態１）
図２は本発明の実施形態１に係る点灯装置の構成を示す図である。実施形態１では、ＤＣ／ＡＣインバータ３は、ＦＥＴなどの半導体スイッチによるスイッチＱ１，Ｑ２，Ｑ３，Ｑ４をブリッジ接続した構成を有している。スイッチ部８は、ＤＣ／ＤＣコンバータ２とＤＣ／ＡＣインバータ３との間に設けられ、ＤＣ／ＤＣコンバータ２の後段においてＤＣ／ＡＣインバータ３と並列に接続される。そして、スイッチ部８は、ＤＣ／ＤＣコンバータ２の出力端からＬＥＤ７の両端へ接続される２つの配線のうちの一方の配線上に、半導体スイッチ等からなる切り替えスイッチＱ５ａを有する。ＤＣ／ＡＣインバータ３のスイッチＱ１，Ｑ２，Ｑ３，Ｑ４、及びスイッチ部８の切り替えスイッチＱ５ａは、制御部５によってオン／オフを制御される。その他の構成要素は図１に示した構成と同様であり、ここでは説明を省略する。
【００２３】
制御部５は、電圧検出部９の検出電圧及び電流検出部１０の検出電流によってＤＣ／ＤＣコンバータ２の後段の負荷側の状態を確認し、これらの情報をフィードバックしてＤＣ／ＤＣコンバータ２やＤＣ／ＡＣインバータ３を制御する。また、制御部５は、外部から入力される光源の点灯切り替えのための制御入力信号ＭＯＤＥに基づき、放電灯６を点灯させるＨＩＤモード、またはＬＥＤ７を点灯させるＬＥＤモードに動作モードを切り替える。
【００２４】
図３は実施形態１の点灯装置におけるＨＩＤモードの動作を説明するタイムチャート、図４は実施形態１の点灯装置におけるＬＥＤモードの動作を説明するタイムチャートである。
【００２５】
図３に示すように、制御入力信号ＭＯＤＥがＬ（ローレベル）の場合はＨＩＤモードとなる。この場合、制御部５は、ＤＣ／ＡＣインバータ３内のブリッジ接続されたスイッチＱ１，Ｑ２，Ｑ３，Ｑ４をオンオフ制御し、ＤＣ／ＡＣインバータ３からの出力電力として矩形波を形成するようにオンオフ動作させる。また、制御部５は、スイッチ部８の切り替えスイッチＱ５ａをオフし、オフ状態を維持する。これにより、ＤＣ／ＡＣインバータ３から矩形波の出力電力がイグナイタ部４を介して放電灯６に供給され、ＤＣ／ＤＣコンバータ２からＬＥＤ７への電力供給経路が遮断される。
【００２６】
図４に示すように、制御入力信号ＭＯＤＥがＨ（ハイレベル）の場合はＬＥＤモードとなる。この場合、制御部５は、ＤＣ／ＡＣインバータ３内のスイッチＱ１，Ｑ２，Ｑ３，Ｑ４において、スイッチＱ１またはＱ４のいずれかがオフし、かつ、スイッチＱ２またはＱ３のいずれかがオフするように制御し、ＤＣ／ＡＣインバータ３の動作を停止させる。これにより、イグナイタ部４、放電灯６への電力供給経路が遮断される。また、制御部５は、スイッチ部８の切り替えスイッチＱ５ａをオンし、ＤＣ／ＤＣコンバータ２からＬＥＤ７への電力供給経路を接続する。この際、制御部５は、電圧検出部９及び電流検出部１０による負荷電圧と負荷電流の検出フィードバックにより、ＤＣ／ＤＣコンバータ２の出力をＬＥＤ７の負荷に合わせた電力に制御する。
【００２７】
この実施形態１によれば、ＤＣ／ＤＣコンバータの後段にＤＣ／ＡＣインバータとスイッチ部を介したＬＥＤとを並列接続し、スイッチ部のオンオフを切り替えるとともに、ＤＣ／ＡＣインバータの動作をオンオフ制御することで、放電灯とＬＥＤの２つの光源に対してＤＣ／ＤＣコンバータ２及び制御部５を共用することができる。したがって、前照灯の主照明として放電灯を点灯させ、ＤＲＬとしてＬＥＤを点灯させる場合など、２つの光源を使い分ける場合に、点灯装置の小型化、軽量化を実現できる。
【００２８】
（実施形態２）
図５は本発明の実施形態２に係る点灯装置の構成を示す図である。実施形態２は、図２に示した実施形態１を変形した例であり、ＬＥＤ７とスイッチ部８の接続構成が異なっている。ＤＣ／ＡＣインバータ３の後段において、イグナイタ部４と並列に２系統のＬＥＤ７ａ，７ｂが接続されており、これらのＬＥＤ７ａ，７ｂの他端にスイッチ部８の切り替えスイッチＱ５ｂの一端が接続されている。そして、切り替えスイッチＱ５ｂの他端は、ＤＣ／ＤＣコンバータ２の前段の主回路に接続され、ＬＥＤ点灯回路を構成している。ＤＣ／ＡＣインバータ３のスイッチＱ１，Ｑ２，Ｑ３，Ｑ４、及びスイッチ部８の切り替えスイッチＱ５ｂは、制御部５によってオン／オフを制御される。この場合、ＤＣ／ＡＣインバータ３のスイッチＱ１，Ｑ２，Ｑ３，Ｑ４が、ＬＥＤ７ａ，７ｂへの電力供給経路を切り替えるスイッチ部の機能の一部を兼ねる形となる。その他の構成要素は図１に示した構成と同様であり、ここでは説明を省略する。
【００２９】
制御部５は、電圧検出部９の検出電圧及び電流検出部１０の検出電流によってＤＣ／ＤＣコンバータ２の後段の負荷側の状態を確認し、これらの情報をフィードバックしてＤＣ／ＤＣコンバータ２やＤＣ／ＡＣインバータ３を制御する。また、制御部５は、外部から入力される光源の点灯切り替えのための制御入力信号ＭＯＤＥに基づき、放電灯６を点灯させるＨＩＤモード、またはＬＥＤ７ａ，７ｂを点灯させるＬＥＤモードに動作モードを切り替える。
【００３０】
図６は実施形態２の点灯装置におけるＨＩＤモードの動作を説明するタイムチャート、図７は実施形態２の点灯装置におけるＬＥＤモードの動作を説明するタイムチャートである。
【００３１】
図６に示すように、制御入力信号ＭＯＤＥがＬ（ローレベル）の場合はＨＩＤモードとなる。この場合、制御部５は、ＤＣ／ＡＣインバータ３内のブリッジ接続されたスイッチＱ１，Ｑ２，Ｑ３，Ｑ４をオンオフ制御し、ＤＣ／ＡＣインバータ３からの出力電力として矩形波を形成するようにオンオフ動作させる。また、制御部５は、スイッチ部８の切り替えスイッチＱ５ｂをオフし、オフ状態を維持する。これにより、ＤＣ／ＡＣインバータ３から矩形波の出力電力がイグナイタ部４を介して放電灯６に供給され、ＤＣ／ＤＣコンバータ２からＬＥＤ７ａ，７ｂへの電力供給経路が遮断される。
【００３２】
図７に示すように、制御入力信号ＭＯＤＥがＨ（ハイレベル）の場合はＬＥＤモードとなる。この場合、制御部５は、ＤＣ／ＡＣインバータ３内のスイッチＱ１とＱ３の２つをオンし、スイッチＱ２とＱ４の２つをオフするように制御する。これにより、ＤＣ／ＡＣインバータ３からイグナイタ部４、放電灯６への電力供給経路が遮断される。また、制御部５は、スイッチ部８の切り替えスイッチＱ５ｂをオンし、ＤＣ／ＤＣコンバータ２からＤＣ／ＡＣインバータ３内のスイッチＱ１とＱ３のそれぞれを介してＬＥＤ７ａ，７ｂへの電力供給経路を接続する。この際、制御部５は、電圧検出部９及び電流検出部１０による負荷電圧と負荷電流の検出フィードバックにより、ＤＣ／ＤＣコンバータ２の出力をＬＥＤ７ａ，７ｂの負荷に合わせた電力に制御する。
【００３３】
この実施形態２によれば、放電灯とＬＥＤの２つの光源に対してＤＣ／ＤＣコンバータ２及び制御部５を共用化する効果に加えて、ＤＣ／ＡＣインバータ３もスイッチとして使用し、２系統のＬＥＤ点灯回路を構成することができる。
【００３４】
（実施形態３）
図８は本発明の実施形態３に係る点灯装置の構成を示す図である。実施形態３は、図５に示した実施形態２を変形した例であり、ＬＥＤ７とスイッチ部８の接続構成がさらに異なっている。ＤＣ／ＡＣインバータ３の後段において、イグナイタ部４と並列に２系統のＬＥＤ７ａ，７ｂが接続されており、これらのＬＥＤ７ａ，７ｂの他端にそれぞれスイッチ部８の切り替えスイッチＱ５ｃ，Ｑ５ｄの一端が接続されている。そして、切り替えスイッチＱ５ｃ，Ｑ５ｄの他端が接続されて１つの経路となり、ＤＣ／ＤＣコンバータ２の前段の主回路に接続され、ＬＥＤ点灯回路を構成している。ＤＣ／ＡＣインバータ３のスイッチＱ１，Ｑ２，Ｑ３，Ｑ４、及びスイッチ部８の切り替えスイッチＱ５ｃ，Ｑ５ｄは、制御部５によってオン／オフを制御される。この場合、ＤＣ／ＡＣインバータ３のスイッチＱ１，Ｑ２，Ｑ３，Ｑ４が、ＬＥＤ７ａ，７ｂへの電力供給経路を切り替えるスイッチ部の機能の一部を兼ねる形となる。その他の構成要素は図１に示した構成と同様であり、ここでは説明を省略する。
【００３５】
制御部５は、電圧検出部９の検出電圧及び電流検出部１０の検出電流によってＤＣ／ＤＣコンバータ２の後段の負荷側の状態を確認し、これらの情報をフィードバックしてＤＣ／ＤＣコンバータ２やＤＣ／ＡＣインバータ３を制御する。実施形態３では、負荷側の異常監視を行い、外部からの切り替え信号ではなく、放電灯異常などの負荷側の状態により、放電灯６を点灯させるＨＩＤモード、またはＬＥＤ７ａ，７ｂを点灯させるＬＥＤモードに動作モードを切り替える。
【００３６】
図９は実施形態３の点灯装置におけるＨＩＤモードの動作を説明するタイムチャート、図１０は実施形態３の点灯装置におけるＬＥＤモードの動作を説明するタイムチャートである。
【００３７】
放電灯点灯時の動作として、負荷側に異常が無い場合は図９に示すＨＩＤモードとなる。この場合、制御部５は、ＤＣ／ＡＣインバータ３内のブリッジ接続されたスイッチＱ１，Ｑ２，Ｑ３，Ｑ４をオンオフ制御し、ＤＣ／ＡＣインバータ３からの出力電力として矩形波を形成するようにオンオフ動作させる。また、制御部５は、スイッチ部８の切り替えスイッチＱ５ｃ，Ｑ５ｄをオフし、オフ状態を維持する。これにより、ＤＣ／ＡＣインバータ３から矩形波の出力電力がイグナイタ部４を介して放電灯６に供給され、ＤＣ／ＤＣコンバータ２からＬＥＤ７ａ，７ｂへの電力供給経路が遮断される。
【００３８】
また、放電灯点灯時に、負荷側に異常が発生した場合は図１０に示すＬＥＤモードとなる。制御部５は、放電灯負荷の異常として、例えば、通常の放電灯の正常電圧範囲を４０Ｖ〜１２０Ｖとしたときに、動作電圧がこの範囲を外れた場合などを検知する。この場合、制御部５は、ＤＣ／ＤＣコンバータ２の後段の電圧、電流を監視して負荷側の異常を検知すると、ＤＣ／ＡＣインバータ３内のスイッチＱ１とＱ３の２つをオンし、スイッチＱ２とＱ４の２つをオフするように制御する。これにより、ＤＣ／ＡＣインバータ３からイグナイタ部４、放電灯６への電力供給経路が遮断される。また、制御部５は、スイッチ部８の切り替えスイッチＱ５ｃ，Ｑ５ｄをオンし、ＤＣ／ＤＣコンバータ２からＤＣ／ＡＣインバータ３内のスイッチＱ１とＱ３のそれぞれを介してＬＥＤ７ａ，７ｂへの電力供給経路を接続する。この際、制御部５は、電圧検出部９及び電流検出部１０による負荷電圧と負荷電流の検出フィードバックにより、ＤＣ／ＤＣコンバータ２の出力をＬＥＤ７ａ，７ｂの負荷に合わせた電力に制御する。
【００３９】
この実施形態３によれば、放電灯とＬＥＤの２つの光源に対して点灯回路を共用化する効果に加えて、外部からの切り替え入力ではなく、回路内部の電流電圧監視を利用して、放電灯とＬＥＤの点灯動作を切り替えることができる。また、負荷側の異常時に放電灯を消灯してＬＥＤへ切り替え可能な点灯装置をコンパクトに構成できる。
【００４０】
なお、実施形態１の構成において、実施形態３と同様に制御部５を機能させることも可能である。この場合、制御部５は、電圧検出部９及び電流検出部１０の電流電圧検出出力によって負荷側の異常監視を行い、異常発生時にスイッチ部８を切り替え制御してＨＩＤモードからＬＥＤモードに切り替えればよい。
【００４１】
上述したように、本実施形態では、放電灯とＬＥＤの２つの光源を備える点灯装置において、これら２つの光源を同時に点灯させる必要がない場合、例えば前照灯においてＬＥＤをＤＲＬに用いたり、放電灯のバックアップに用いるなどの使用条件において、ＤＣ／ＤＣコンバータの後段に放電灯用のＤＣ／ＡＣインバータとＬＥＤとを並列接続し、外部からの切り替え信号による制御、または負荷側の異常監視による制御に基づき、放電灯からＬＥＤへの接続切り替えを行う構成としている。これにより、点灯装置の部分的な回路を共用化し、ケース及びコネクタなどを含めて装置全体として小型化することができる。
【００４２】
また、点灯装置の回路の中でも、高いコスト比率を占めるＤＣ／ＤＣコンバータ部、制御部、ケースを共用化することが可能であり、装置全体の小型省スペース化、軽量化、コスト低減を図ることができる。また、ＬＥＤバックアップ機能を持つ高輝度の放電灯システムをコンパクト化できるので、ＬＥＤバックアップ機能付きの放電灯システムを一灯式のバイクなどにも適用することができる。
【００４３】
なお、本発明は上記の実施形態において示されたものに限定されるものではなく、明細書の記載、並びに周知の技術に基づいて、当業者が変更、応用することも本発明の予定するところであり、保護を求める範囲に含まれる。
【産業上の利用可能性】
【００４４】
本発明は、放電灯と半導体発光素子とを光源に用いる場合に、点灯装置の部分的な回路を共用化でき、装置全体として小型化、軽量化、低コスト化を実現可能となる効果を有し、車両の前照灯などにおける車両用点灯装置等として有用である。
【図面の簡単な説明】
【００４５】
【図１】本発明の実施形態に係る点灯装置の概略構成を示す図
【図２】本発明の実施形態１に係る点灯装置の構成を示す図
【図３】実施形態１の点灯装置におけるＨＩＤモードの動作を説明するタイムチャート
【図４】実施形態１の点灯装置におけるＬＥＤモードの動作を説明するタイムチャート
【図５】本発明の実施形態２に係る点灯装置の構成を示す図
【図６】実施形態２の点灯装置におけるＨＩＤモードの動作を説明するタイムチャート
【図７】実施形態２の点灯装置におけるＬＥＤモードの動作を説明するタイムチャート
【図８】本発明の実施形態３に係る点灯装置の構成を示す図
【図９】実施形態３の点灯装置におけるＨＩＤモードの動作を説明するタイムチャート
【図１０】実施形態３の点灯装置におけるＬＥＤモードの動作を説明するタイムチャート
【符号の説明】
【００４６】
１  直流電源部
２  ＤＣ／ＤＣコンバータ
３  ＤＣ／ＡＣインバータ
４  イグナイタ部
５  制御部
６  放電灯（ＨＩＤランプ）
７  ＬＥＤ
８  スイッチ部
９  電圧検出部
１０  電流検出部
【図１】
2009283250.tif 000003
【図２】
2009283250.tif 000004
【図３】
2009283250.tif 000005
【図４】
2009283250.tif 000006
【図５】
2009283250.tif 000007
【図６】
2009283250.tif 000008
【図７】
2009283250.tif 000009
【図８】
2009283250.tif 000010
【図９】
2009283250.tif 000011
【図１０】
2009283250.tif 000012